(57)【特許請求の範囲】
【請求項１】
印刷デ−タに対応してインク滴を吐出するインクジェット式記録ヘッドと、前記記録ヘッドのノズル形成面を封止すると共に、吸引ポンプからの負圧を受けて前記記録ヘッドからインクを吸引排出するキャッピング手段とを具備したインクジェット式記録装置であって、
前記キャッピング手段には、記録ヘッドのノズル形成面に当接してノズル形成面をシールする軟質性素材により形成されたキャップ部材と、前記キャップ部材を保持する硬質性素材により形成されたキャップホルダとが具備され、
前記キャップ部材は、前記ノズル形成面をシールするキャップホルダの開口端面に対して突出した突出部が形成されると共に、
前記キャップホルダは、該キャップホルダの内側面から上方向にＬ字状に立上る補強リブを有し、
前記キャップ部材は、前記補強リブのＬ字によって形成される空間部に充填され、且つ前記補強リブのさらに内側面を覆うように前記キャップホルダに対してインサート成形あるいは二色成形によって一体に構成され、
前記キャップ部材の突出部は、前記補強リブの直上に形成されていることを特徴とするインクジェット式記録装置。
【請求項２】
前記キャップホルダの開口端面に対して突出して形成されたキャップ部材は、突出部の断面形状がほぼ三角形状を構成してなる請求項１に記載のインクジェット式記録装置。
【請求項３】
前記キャップ部材を構成する軟質性素材がエラストマーあるいはゴムであることを特徴とする請求項１または請求項２に記載のインクジェット式記録装置。
【発明の詳細な説明】
【０００１】
【発明の属する技術分野】
本発明は、印刷デ−タに対応してインク滴を吐出する記録ヘッドを備えたインクジェット式記録装置に関し、特に記録ヘッドのノズル形成面を封止すると共に、吸引ポンプからの負圧を受けて前記記録ヘッドからインクを吸引排出するキャッピング手段を具備したインクジェット式記録装置に関する。
【０００２】
【従来の技術】
インクジェット式記録装置は印刷時の騒音が比較的小さく、しかも小さなドットを高い密度で形成できるため、昨今においてはカラー印刷を含めた多くの印刷に使用されている。このようなインクジェット式記録装置は、インクカートリッジからのインクの供給を受けるインクジェット式記録ヘッドと、記録用紙を記録ヘッドに対して相対的に移動させる紙送り手段を備え、記録ヘッドを移動させながら印刷データに基づいて記録用紙にインク滴を吐出させることで記録が行われる。
【０００３】
そしてキャリッジ上に例えばブラック、イエロー、シアン、マゼンタの各インクの吐出が可能な記録ヘッドを搭載し、ブラックインクによるテキスト印刷ばかりでなく、各カラーインクの吐出割合を変えることにより、フルカラー印刷を可能にしている。
【０００４】
前記したインクジェット式記録ヘッドは、圧力発生室で加圧したインクをノズル開口からインク滴として記録用紙に吐出させて印刷を行う関係上、ノズル開口からの溶媒の蒸発に起因するインク粘度の上昇や、インクの固化、塵埃の付着、さらには気泡の混入などによりノズル開口に目詰まりを発生し、印字不良を起こすという問題を抱えている。
【０００５】
このために、この種のインクジェット式記録装置には、非印刷時に記録ヘッドのノズル形成面を封止するためのキャッピング手段を備えている。前記キャッピング手段は、記録ヘッドにおけるノズル開口のインクの乾燥を防止する蓋体として機能するだけでなく、ノズル開口に目詰まりが生じた場合には、キャッピング手段によりノズル形成面を封止し、吸引ポンプからの負圧により、ノズル開口からインクを吸引してノズル開口の目詰まりを解消するインクの吐出能力回復機能をも備えている。
【０００６】
記録ヘッドの目詰まり解消のために行う強制的なインクの吸引排出処理は、クリーニング操作と呼ばれ、装置の長時間の休止後に印刷を再開する場合や、ユーザが印刷不良を認識して例えばクリーニングスイッチを操作した場合などに実行され、吸引ポンプによる負圧を加えて記録ヘッドよりキャッピング手段内にインクを吸引排出させた後に、例えばゴム材料等により形成してなるワイピング部材により、ノズル形成面を払拭操作を行うようになされる。
【０００７】
ところで、この種のインクジェット式記録装置に用いられているキャッピング手段は、例えば図７および図８に示すような構成とされている。図７は記録ヘッドをキャッピングした状態におけるキャッピング手段の縦断面図であり、また図８はキャッピング手段により封止された記録ヘッドを透視した状態で示している。
【０００８】
図７および図８に示すように、キャッピング手段８は上面が開放された方形状のキャップホルダ９と、このキャップホルダ９内に収納され、耐インク性を有する可撓性物質により形成されたキャップ部材７を具備している。そして、キャップ部材７にはその上端部をキャップホルダ９よりも若干突出させて突出部７ｂを構成し、記録ヘッドに対するシール面を形成している。
【０００９】
また、キャップ部材７の内底部には耐インク性およびインク吸収性に優れた多孔質材料からなるインク吸収シート８が収納されている。さらに前記キャップホルダ９の下底部を支持するスライダ１０が具備され、キャリッジがキャッピング手段側に移動したとき、図示せぬ回動アーム等の作用によって前記スライダ１０をほぼ水平姿勢に保ったまま上方に移動させて記録ヘッド５のノズル形成面を前記突出部７ｂによってシールできるように構成されている。
【００１０】
一方、キャップ部材７を貫通するようにしてインク排出口７ａが形成されており、このインク排出口７ａに連通して吸引ポンプに至るチューブＴが接続されている。
【００１１】
前記した構成において、キャリッジがキャッピング手段側へ移動することにより、前記スライダ１０が押し上げられ、キャップ部材７の突出部７ｂが記録ヘッド５のノズル形成面を封止する。そして、前記吸引ポンプを動作させることで、チューブＴを介してキャップ部材７により形成された内部空間に負圧が印加される。これにより、記録ヘッド５のノズル開口５ａよりインクが吸引され、吸引排出されたインクはキャップ部材７内に収納されたインク吸収シート８に吸収されてキャップ部材７内に貯留される。
【００１２】
また、記録ヘッド５よりインクの吸引が終了した時点で、キャッピング手段６を若干下方に移動させて、記録ヘッドに対するキャップ部材７による封止を解除し、図示せぬ吸引ポンプを動作させることにより、キャップ部材７内に貯留されたインクを排出させる動作シーケンスが実行される。
【００１３】
【発明が解決しようとする課題】
前記した構成のキャッピング手段６によれば、記録ヘッド５のノズル形成面を密封するために、キャップ部材７はゴムまたはエラストマーなどの弾性部材により形成されている。そして、その材料の持つ弾力性によってノズル形成面との間で密封状態が維持できるようになされている。
【００１４】
したがって、キャップ部材７内を負圧にしてノズル開口５ａからインクを吸引しようとした場合には、図７および図８に示すようにキャップ部材７は負圧により内側に変形するという問題が発生する。
【００１５】
一般に、キャッピング手段６は、キャリッジの移動に基づいて前記した回動アーム等によって記録ヘッド５に対して上下動できるように構成されており、キャップ部材７に低弾性材料を用いることにより、キャリッジ移動の負荷、すなわちキャリッジモータに対する負荷を軽減させるように配慮されている。しかしながらキャップ部材７の材質が低弾性であればある程、前記した変形の度合いが顕著となる。
【００１６】
加えて、昨今においては記録ヘッドのノズル形成面に配備されるノズル開口５ａの数も増大しており、これに伴い、吸引ポンプの吸引能力も増大するように構成されていて、吸引ポンプによる吸引時の最大負圧はおおよそ−０．８気圧程度に達する場合もある。
【００１７】
このような条件下においては、キャップ部材７の突出部７ａが内側に倒れるように変形し、さらにこの状態でキャップ部材７の突出部７ａがノズル形成面側に圧着される作用が与えられるために、なおさら突出部７ａが内側に倒れ込んだ変形状態となされる。
【００１８】
このために、キャップ部材７の突出部７ａによって形成されるシール部分が、図８に示すようにノズル開口５ａ部分に達して、ノズル開口からの正常なインクの吸引動作が成し得なくなるという問題が発生する。
【００１９】
本発明は、このような問題点に鑑みてなされたものであり、キャップ部材の顕著な倒れこみ現象を防止し得るキャッピング手段の構成を提供しようとするものであり、これによりクリーニング動作の信頼性を向上させたインクジェット式記録装置を提供することを目的とするものである。
【００２０】
【課題を解決するための手段】
前記した目的を達成するためになされた本発明にかかるインクジェット式記録装置は、印刷デ−タに対応してインク滴を吐出するインクジェット式記録ヘッドと、記録ヘッドのノズル形成面を封止すると共に、吸引ポンプからの負圧を受けて記録ヘッドからインクを吸引排出するキャッピング手段とを具備したインクジェット式記録装置であって、キャッピング手段には、記録ヘッドのノズル形成面に当接してノズル形成面をシールする軟質性素材により形成されたキャップ部材と、キャップ部材を保持する硬質性素材により形成されたキャップホルダとが具備され、キャップ部材は、ノズル形成面をシールするキャップホルダの開口端面に対して突出した突出部が形成されると共に、キャップホルダは、該キャップホルダの内側面から上方向にＬ字状に立上る補強リブを有し、キャップ部材は、補強リブのＬ字によって形成される空間部に充填され、且つ補強リブのさらに内側面を覆うようにキャップホルダに対してインサート成形あるいは二色成形によって一体に構成され、キャップ部材の突出部は、補強リブの直上に形成されていることを特徴とする。
また、キャップホルダの開口端面に対して突出して形成されたキャップ部材は、突出部の断面形状がほぼ三角形状を構成することが好ましい。
そして、キャップ部材はキャップホルダに対してインサート成形あるいは二色成形によって一体に形成させることによって好ましい作用効果を得ることができ、この場合、キャップ部材を構成する軟質性素材としてエラストマーあるいはゴム素材が用いられる。
以上の構成によるインクジェット式記録装置によると、キャップホルダの内側面に形成されるキャップ部材は、キャップホルダの内側面から上方にＬ字状に立上る補強リブによって形成される空間部を充填し、且つ補強リブのさらに内側面を覆うように一体に形成された構成とされるので、たとえキャッピング手段の内部空間が負圧に吸引されても、補強リブがキャップ部材の支持体として作用し、キャップ部材の内側への倒れ込みの度合いを低減させることができる。
しかも、キャップ部材はキャップホルダの内側面から上方向にＬ字状に立上る補強リブによって形成される空間部を充填した構成とされるので、この空間部に充填されたキャップ部材の構成体が、記録ヘッドに当接する突出部を外側方向に牽引するように作用し、これによりキャップ部材の倒れ込み現象を相乗的に低減させるように働く。
この場合、キャップ部材をキャップホルダに対してインサート成形あるいは二色成形によって一体に形成させることによって、特にキャップホルダに形成された空間部を充填したキャップ部材の構成体は、当該空間部においてキャップホルダに対して機械的な密着性を確保することができ、これにより、キャップ部材の突出部を外側方向に牽引する作用を確実なものとすることができる。
【００２６】
【発明の実施の形態】
以下、本発明にかかるインクジット式記録装置について、図に示す実施の形態に基づいて説明する。図１乃至図３は、本発明が適用されたインクジェット式記録装置における主にキャッピング手段の構成を示したものである。なお、図１は装置の上面から視た状態を示し、また図２および図３は側面から視た状態で示しており、それぞれ非キャッピング状態およびキャッピング状態を示している。
【００２７】
図２および図３に示した符号１はキャリッジであり、このキャリッジ１はガイドロッド２に案内されて用紙ガイド板３に対向して平行に移動するように構成されている。そしてキャリッジ１は、図には示されていないがキャリッジモ−タにより往復動されるタイミングベルトの一部に結合されて、ガイドロッド２に沿って往復移動されるように構成されている。
【００２８】
前記キャリッジ１には、記録ヘッド５が用紙ガイド板３の上面に配置された記録用紙４に対向するように搭載されており、記録ヘッド５に対してインクが導入され、印刷デ−タに対応して用紙ガイド板３上の記録用紙４にインク滴を吐出して印字することができるように構成されている。
【００２９】
前記記録ヘッド５を封止するキャッピング手段６は、記録装置の端部における非印字領域（ホームポジション）に配置されており、記録ヘッド５のノズル形成面に密封空間をもって封止できるサイズのキャップ部材７を備え、非印字時に記録ヘッド５のノズル形成面を封止してノズル開口のインクの乾燥を防止する機能と、クリーニング操作時に図示せぬ吸引ポンプからの負圧を受けて記録ヘッド５からインクを強制的に排出させる機能とを備えている。
【００３０】
前記キャッピング手段６に配置されたキャップ部材７の内底部には、図１に示すようにインク排出口７ａが形成され、このインク排出口７ａには、図７において説明した構成と同様にチュ−ブの一端が接続され、このチュ−ブの他端は吸引ポンプに接続されている。これにより、非印字時にはキャップ部材７によって記録ヘッド５のノズル形成面を封止し、またクリ−ニング指令を受けた場合には、吸引ポンプによる負圧がキャッピング手段の内部空間に印加され、記録ヘッド５からインクを強制的に排出させることができる。なお、前記キャップ部材７内にはインク吸収シ−ト８が収容され、吸引したインクをこれにより保持するように構成されている。
【００３１】
また、キャップ部材７は、後で詳述するように方形状のキャップホルダ９に対して一体成形されており、このキャップホルダ９の長手方向の両側壁には、それぞれ平板状のバネ受け部９ａがそれぞれ水平方向に形成されている。そして、キャップホルダ９は昇降機構を構成するスライダ１０上に搭載され、スライダ１０とバネ受け部９ａとの間に介装された一対の圧縮バネ１１によって、記録ヘッド５側に付勢された状態で取り付けられている。
【００３２】
なお、キャップホルダ９の一端部中央および他端部の両側部には、それぞれ係合部９ｂが形成されており、これら３つの係合部９ｂは、スライダ１０に形成されたそれぞれの係止部材１０ａによって３点で係止されることにより、キャップホルダ９は上方向、すなわち記録ヘッド５側への移動が規制されて、スライダ１０上に搭載されている。
【００３３】
また、前記スライダ１０の下底部には一対の長穴１２がほぼ水平方向に形成されており、この各長穴１２内にはフレ−ム１３に対して回動可能に取り付けられたア−ム１４の自由端側に配置された一対の水平軸１５が、それぞれ移動可能となるように収容されている。これにより、スライダ１０はア−ム１４を介してフレ−ム１３に対して円弧状軌跡をもって立ち上がることができる。
【００３４】
また、前記スライダ１０の非印字領域側の端部両側には、それぞれガイド片１０ｂが形成されていて、この一対のガイド片１０ｂはフレ−ム１３に形成された一対の案内溝１６によって支持されるように構成されている。この案内溝１６は一端部に形成された低所部１６ａと、他端部に形成された水平な高所部１６ｂと、さらにこれらを接続する傾斜部１６ｃとにより構成されており、これら３つの領域が連通して形成されている。
【００３５】
さらに、図１に示すように一方のガイド片１０ｂには、一端がフレ−ム１３に固定された引っ張りバネ１７の他端が固定されていて、この引っ張りバネ１７の作用により、スライダ１０は印字領域方向、かつ記録ヘッド５から離間する方向、すなわちこの実施の形態においては下方に位置するように付勢されている。
【００３６】
そして、図２に示すようにキャリッジ１がキャッピング手段６の直上に移動した際、キャリッジ１に配置された係合体１ａがスライダ１０に直立するように形成された係合部１０ｃに当接することで、図３に示すようにバネ１７の引張力に抗しながら、スライダ１０はア−ム１４を介して立ち上がり、これによりキャップホルダ９に一体に形成されたキャップ部材７が、キャリッジ１に配置された記録ヘッド５のノズル形成面を封止することができるように構成されている。
【００３７】
また、キャリッジ１が印字領域側に移動した場合には、スライダ１０に配置された係合部１０ｃに対するキャリッジ１側の係合体１ａの当接が解かれ、スライダ１０はバネ１７の引張力によって図２に示した状態に復帰し、これにより、キャップ部材７による記録ヘッド５のノズル形成面の封止が解除される。
【００３８】
なお図２に示したように、前記キャップ部材７におけるシール面、すなわち記録ヘッド５のノズル形成面に当接する上端面は、記録ヘッド５のノズル形成面に対して非平行状態となるように構成されている。すなわち、キャップ部材７のシール面はホームポジション側（図２における右側）端部に対して印字領域側に僅かに下降するように傾斜状態になされている。
【００３９】
これは、スライダ１０に形成された長穴１２内の水平軸１５の位置と、フレ−ム１３に形成された一連の案内溝１６内を摺動するガイド片１０ｂの配置位置との関係により構成されている。
【００４０】
そして、キャップ部材７は、記録ヘッド５のノズル形成面を封止する状態においては、先ずホームポジション側よりノズル形成面に当接し、スライダ１０の上昇にしたがって圧縮バネ１１の縮小作用にしたがって、記録ヘッド５のノズル形成面の全面を封止するように作用する。また、キャップ部材７は、記録ヘッド５のノズル形成面の封止を解く場合においては、記録ヘッド５のノズル形成面に対して、先ず印字領域側の端部から離れ、ノズル形成面に対して非平行状態で離間するように作用する。
【００４１】
一方、図１または図３に示すようにキャッピング手段６に隣接する印字領域側には、キャリッジ１の移動に伴ってキャリッジ１に搭載された前記記録ヘッド５のノズル形成面をワイピングする、例えばゴム性のワイピング部材２１を備えたクリ−ナ保持部材２０が配置されている。このクリ−ナ保持部材２０は水平方向に移動され、ワイピング部材２１を記録ヘッド５の移動経路上のワイピング位置に対して進入または退避できるように構成されている。
【００４２】
したがって、クリ−ニング操作時において、前記記録ヘッド５はこのワイピング部材２１により、そのインク吸引前においてノズル形成面に付着している塵埃や紙粉などが除去され、またインク吸引後においてノズル形成面に付着しているインクの払拭がなされる。
【００４３】
この場合、実施の形態においては、ワイピング部材２１を保持する保持部材２０の移動と、前記キャッピング手段の内部空間を負圧に吸引するポンプとは、用紙ガイド板３上における記録用紙４を搬送する図示せぬ紙送りモータの駆動力を利用するようになされている。そして吸引ポンプの駆動に伴ってワイピング部材２１は記録ヘッドの移動軌跡上に進出するよう構成されている。
【００４４】
以上の構成において、キャリッジモータの駆動によりキャリッジ１が非印字領域側に移動すると、図２に示すように、キャリッジ１に配置された係合体１ａが、スライダ１０に形成された係合部１０ｃに当接する。そして、なおもキャリッジ１がホームポジション側に移動することで、図３に示すようにバネ１７の引張力に抗しながら、スライダ１０はア−ム１４を介して立ち上がる。一方、スライダ１０に形成されたガイド片１０ｂは、案内溝１６を構成する低所部１６ａから傾斜部１６ｃに、さらに水平な高所部１６ｂへと移動し、これにより、キャップホルダ９に一体成形されたキャップ部材７がキャリッジ１に配置された記録ヘッド５を封止する。
【００４５】
このようにして、キャップ部材７によるノズル形成面の封止が完了した段階で、キャップ部材７は大気との連通が断たれて気密状態となり、ノズル開口からのインクの蒸発を抑制して、記録ヘッドの目詰まりを防止するように作用する。
【００４６】
また、キャリッジモータの駆動によりキャリッジ１が印字領域側に移動すると、キャリッジ１に配置された係合体１ａは、スライダ１０に形成された係合部１０ｃから離れる。したがって前記バネ１７の引張力によって、スライダ１０はア−ム１４を介して、またスライダ１０に形成されたガイド片１０ｂが低所部１６ａ側に移動することにより降下する。これによりキャップ部材７による記録ヘッド５の封止状態が解かれる。
【００４７】
図４および図５は前記したキャッピング手段を構成するキャップホルダとキャップ部材の詳細な構成を示したものである。なお、図４はキャップホルダとキャップ部材のアッセンブリを上面から視た状態の平面図であり、また図５は図４におけるＡ−Ａ線から矢印方向に視た状態の断面図である。また図１乃至図３において既に説明した各部は、同一符号で示している。
【００４８】
前記したように、キャップ部材７は方形状に形成されたキャップホルダ９の内側部に、例えばインサート成形あるいは二色成形によって一体に成形されており、キャップホルダ９は例えば硬質合成樹脂により構成され、またキャップ部材７は軟質性素材、例えばエラストマーあるいはゴムにより構成されている。
【００４９】
両者をインサート成形により一体成形する場合においては、まず、キャップホルダ９が所定の金型内において成形され、こうして成形されたキャップホルダ９は、第２の金型内に装填され、さらにキャップ部材７を構成する軟質性素材がインサート成形されることで、両者が一体に成形される。
【００５０】
また、両者を二色成形によって一体成形する場合においては、まず、キャップホルダ９が所定の金型内において一次成形され、一次成型品であるキャップホルダ９と二次成形キャビティとにより形成される空間内にキャップ部材７を構成する軟質性素材が充填されることにより、両者が一体に成形される。
【００５１】
図５に示されたように、一次成形されるキャップホルダ９の内側面において、二次成形されるキャップ部材７が、キャップホルダ９の開口端面９ｃに対して突出して形成されている。そして、図６に要部を拡大して示したように、キャップ部材７における突出部７ｂの断面形状はほぼ三角形状を構成しており、その頂部の端面が記録ヘッドのノズル形成面に当接するシール部を構成している。この構成により、記録ヘッドのノズル形成面に当接するシール部における密着度合いを向上させて、キャッピング手段における内部空間の密封状態が良好に保持できるようになされている。
【００５２】
さらに、図６に示されたように前記キャップホルダ９には、その内側面９ｄから上方向にＬ字状に立上る補強リブ９ｅが形成されていて、キャップホルダ９の内側面９ｄと補強リブ９ｅとの間に空間部９ｆが形成されている。そして、前記したようにキャップホルダ９に対してキャップ部材７はインサート成形または二色成形され、キャップ部材７は前記空間部９ｆを充填し、且つ前記補強リブ９ｅのさらに内側面９ｇを覆うようにして一体に成形されている。
【００５３】
そして、キャップホルダ９の内側面において、キャップホルダ９の開口端面９ｃに対して突出して形成されるキャップ部材７の突出部７ｂは、キャップホルダの内側面から立上るＬ字状補強リブ９ｅの直上に形成されている。
【００５４】
このように、キャップホルダ９にその内側面９ｄから上方向にＬ字状に立上る補強リブ９ｅを形成させたことにより、補強リブ９ｅがキャップ部材の支持体として作用し、クリーニング動作時においてキャッピング手段の内部空間に負圧が印加されても、キャップ部材７が内側方向へ倒れ込むのを効果的に阻止するように作用する。
【００５５】
しかも、キャップ部材７はキャップホルダ９の内側面から上方にＬ字状に立上る補強リブ９ｅによって形成される空間部９ｆを充填するようにして配置されるので、この空間部９ｆに充填されたキャップ部材の構成体が、記録ヘッドに当接する突出部７ｂを外側方向に牽引するように作用し、これによりキャップ部材７の内側方向への倒れ込み現象を相乗的に低減させるように働く。
【００５６】
さらに、キャップ部材７をキャップホルダ９に対してインサート成形あるいは二色成形によって一体に形成させることによって、前記空間部９ｆに充填されたキャップ部材の構成体の機械的な密着性を確保することができ、これにより、キャップ部材７の突出部７ｂを外側方向に牽引する作用を確実なものとすることができる。
【００５７】
【発明の効果】
以上の説明で明らかなとおり、本発明にかかるインクジェット式記録装置によると、キャップ部材は、キャップホルダの補強リブのＬ字によって形成される空間部に充填され、且つ補強リブのさらに内側面を覆うようにキャップホルダに対してインサート成形あるいは二色成形によって一体に構成され、キャップ部材の突出部は補強リブの直上に形成されているので、クリーニング動作時の負圧発生時に、キャップ部材のシール部を外側方向に牽引する作用によって、キャップ部材が内側方向へ倒れ込むのを効果的に阻止させることができる。これにより、キャップ部材のシール部が記録ヘッドのノズル開口部分に達して、ノズル開口からの正常なインクの吸引動作を妨げるという問題を回避することができ、クリーニング動作の信頼性を向上させたインクジェット式記録装置を提供することが可能となる。
【図面の簡単な説明】
【図１】本発明が適用されたインクジェット式記録装置における主にキャッピング手段の構成を示した平面図である。
【図２】図１に示すキャッピング手段の構成を示した側面図である。
【図３】図１に示すキャッピング手段によって記録ヘッドをキャッピングした状態を示した側面図である。
【図４】キャッピング手段を構成するキャップホルダとキャップ部材の構成を示した平面図である。
【図５】図４に示すキャッピング手段をＡ−Ａ線から矢印方向に視た状態の断面図である。
【図６】図５に示すキャッピング手段の要部を拡大して示した断面図である。
【図７】従来のキャッピング手段の構成と問題点を模式的に現した断面図である。
【図８】従来のキャッピング手段の構成と問題点を模式的に現した平面図である。
【符号の説明】
１    キャリッジ
２    ガイドロッド
３    用紙ガイド板
４    記録用紙
５    記録ヘッド
６    キャッピング手段
７    キャップ部材
７ａ  インク排出口
７ｂ  突出部
９    キャップホルダ
９ｃ  開口端面
９ｄ  ホルダ内側面
９ｅ  補強リブ
９ｆ  空間部
９ｇ  補強リブ内側面
１０  スライダ
１１  圧縮バネ
１３  フレ−ム
２１  ワイピング部材
【図１】
0003603694.tif 000002
【図２】
0003603694.tif 000003
【図３】
0003603694.tif 000004
【図４】
0003603694.tif 000005
【図５】
0003603694.tif 000006
【図６】
0003603694.tif 000007
【図７】
0003603694.tif 000008
【図８】
0003603694.tif 000009